(57)【要約】  本発明は、２つの装置間で通信する方法であって、これら装置が、第１の装置により再生されている第１の放送オーディオ／ビデオコンテンツを再生するように第２の装置に要求する信号を受信する方法を提供する。該方法は、該第１の装置において再生されている該第１の放送オーディオ／ビデオコンテンツの指紋、及び該第２の装置により受信された一連の放送オーディオ／ビデオコンテンツの一連の指紋を生成するステップと、該第１の放送オーディオ／ビデオコンテンツの該指紋及び該一連の指紋に応じて、該一連の放送オーディオ／ビデオコンテンツから該第１の放送オーディオ／ビデオコンテンツを識別するステップと、を有する。
2012503917.tif 000002
【特許請求の範囲】
【請求項１】
第２の装置と通信するための第１の装置であって、前記第１の装置は、
第１の放送オーディオ／ビデオコンテンツを再生するためのユニットと、
前記第１の放送オーディオ／ビデオコンテンツを再生するように前記第２の装置に要求する第１の信号を受信したときに、前記第１の放送オーディオ／ビデオコンテンツを反映する第２の信号を前記第２の装置に送信するためのユニットと、
を有する第１の装置。
【請求項２】
前記第２の信号は、前記第１の放送オーディオ／ビデオコンテンツの指紋を担持し、前記第１の装置は更に、前記指紋を生成するためのユニットを有する、請求項１に記載の第１の装置。
【請求項３】
第２の装置と通信するための第１の装置であって、前記第１の装置は、
第１の放送オーディオ／ビデオコンテンツを再生するためのユニットと、
前記第１の放送オーディオ／ビデオコンテンツを再生するように前記第２の装置に要求する第１の信号を受信したときに、前記第１の放送オーディオ／ビデオコンテンツの指紋を生成するためのユニットと、
前記第２の装置から送信された一連の放送オーディオ／ビデオコンテンツを反映する第３の信号を受信するためのユニットと、
前記第１の放送オーディオ／ビデオコンテンツの指紋及び前記一連の放送オーディオ／ビデオコンテンツの一連の指紋に応じて、前記第３の信号から前記第１の放送オーディオ／ビデオコンテンツを識別するためのユニットと、
を有する第１の装置。
【請求項４】
第２の装置と通信するための第１の装置であって、前記第１の装置は、
前記第２の装置において再生されている第１の放送オーディオ／ビデオコンテンツを再生するように前記第１の装置に要求する第１の信号を受信したときに、一連の放送オーディオ／ビデオコンテンツを受信するためのユニットと、
前記一連の放送オーディオ／ビデオコンテンツを反映する第３の信号を前記第２の装置に送信するためのユニットと、
を有する第１の装置。
【請求項５】
前記第３の信号は、前記一連の放送オーディオ／ビデオコンテンツの一連の指紋であり、前記第１の装置は更に、前記一連の指紋を生成するためのユニットを有する、請求項４に記載の第１の装置。
【請求項６】
第２の装置と通信するための第１の装置であって、前記第１の装置は、
前記第２の装置において再生されている第１の放送オーディオ／ビデオコンテンツを再生するように前記第１の装置に要求する第１の信号を受信したときに、一連の放送オーディオ／ビデオコンテンツを受信するためのユニットと、
前記一連の放送オーディオ／ビデオコンテンツの一連の指紋を生成するためのユニットと、
前記第２の装置から送信された、前記第１の放送オーディオ／ビデオコンテンツを反映する第２の信号を受信するためのユニットと、
前記第１の放送オーディオ／ビデオコンテンツの指紋及び前記一連の指紋に応じて、前記一連の放送オーディオ／ビデオコンテンツから前記第１の放送オーディオ／ビデオコンテンツを識別するためのユニットと、
を有する第１の装置。
【請求項７】
前記第１の装置は、前記第１の信号を生成するためのユニットを更に有する、請求項１乃至６のいずれか一項に記載の第１の装置。
【請求項８】
前記第２の装置の存在を検出するための検出器を更に有し、前記ユニットは、前記検出器による前記第２の装置の存在の検出の後に前記第１の信号を生成するように構成された、請求項７に記載の第１の装置。
【請求項９】
ユーザ入力を受信するためのユーザインタフェースを更に有し、前記ユニットは、前記ユーザ入力に応じて前記第１の信号を生成するように構成された、請求項８に記載の第１の装置。
【請求項１０】
第１の装置と第２の装置との間で通信する方法であって、
前記第１の装置により、第１の放送オーディオ／ビデオコンテンツを再生するステップと、
前記第１の装置により、前記第１の放送オーディオ／ビデオコンテンツを再生するように前記第２の装置に要求する第１の信号を受信したときに、前記第１の放送オーディオ／ビデオコンテンツを反映する第２の信号を前記第２の装置に送信するステップと、
を有する方法。
【請求項１１】
前記第１の装置により、前記第１の放送オーディオ／ビデオコンテンツの指紋を生成するステップを更に有し、前記第２の信号は、前記第１の放送オーディオ／ビデオコンテンツの指紋を担持する、請求項１０に記載の方法。
【請求項１２】
第１の装置と第２の装置との間で通信する方法であって、
前記第１の装置により、第１の放送オーディオ／ビデオコンテンツを再生するステップと、
前記第１の装置により、前記第１の放送オーディオ／ビデオコンテンツを再生するように前記第２の装置に要求する第１の信号を受信したときに、前記第１の放送オーディオ／ビデオコンテンツの指紋を生成するステップと、
前記第１の装置により、前記第２の装置から送信された一連の放送オーディオ／ビデオコンテンツを反映する第３の信号を受信するステップと、
前記第１の装置により、前記第１の放送オーディオ／ビデオコンテンツの指紋及び前記一連の放送オーディオ／ビデオコンテンツの一連の指紋に応じて、前記第３の信号から前記第１の放送オーディオ／ビデオコンテンツを識別するステップと、
を有する方法。
【請求項１３】
第１の装置と第２の装置との間で通信する方法であって、
前記第１の装置により、前記第２の装置において再生されている第１の放送オーディオ／ビデオコンテンツを再生するように前記第１の装置に要求する第１の信号を受信したときに、一連の放送オーディオ／ビデオコンテンツを受信するステップと、
前記第１の装置により、前記一連の放送オーディオ／ビデオコンテンツの一連の指紋を生成するステップと、
前記第１の装置により、前記第２の装置から送信された、前記第１の放送オーディオ／ビデオコンテンツを反映する第２の信号を受信するステップと、
前記第１の装置により、前記第１の放送オーディオ／ビデオコンテンツの指紋及び前記一連の指紋に応じて、前記一連の放送オーディオ／ビデオコンテンツから前記第１の放送オーディオ／ビデオコンテンツを識別するステップと、
を有する方法。
【請求項１４】
前記第２の信号は前記第１の放送オーディオ／ビデオコンテンツ自体であり、前記方法は更に、前記第１の放送オーディオ／ビデオコンテンツの前記指紋を生成するステップを有する、請求項１３に記載の方法。
【請求項１５】
第１の装置と第２の装置との間で通信する方法であって、
前記第１の装置により、前記第２の装置において再生されている第１の放送オーディオ／ビデオコンテンツを再生するように前記第１の装置に要求する第１の信号を受信したときに、一連の放送オーディオ／ビデオコンテンツを受信するステップと、
前記第１の装置により、前記一連の放送オーディオ／ビデオコンテンツを反映する第３の信号を前記第２の装置に送信するステップと、
を有する方法。
【発明の詳細な説明】
【技術分野】
【０００１】
本発明は通信技術に関し、更に詳細には２つのオーディオ及び／又はビデオ装置間の通信に関する。
【背景技術】
【０００２】
ますます多くの人が、携帯型オーディオ又はビデオ装置を利用して、帰り道にオーディオ又はビデオデータ放送を楽しむようになっている。しかしながら、彼らが家に着くと、殆どの人が、斯かる携帯型装置から、通常は優れたサウンドシステム及び大画面を持つ固定型装置に切り換えることを好む。逆に、大画面で非常に面白いＴＶ番組を観ているが、外出しなくてはならない人は、そのコンテンツを継続して楽しむことができるように、小型画面を持つ携帯型装置に切り換えることが多い。
【０００３】
同一のコンテンツに関してユーザにより設定されるチャネルの数は装置ごとに異なるため、ユーザは一般に、ＥＰＧ（Electronic Program Guide）を検索して、番組をマッピングし若しくは全てのチャネルを閲覧することにより、又はラジオのコンテンツに合致するように周波数を同調させることにより、或る装置から別の装置へと、視聴又は聴取を変えていく必要がある。このことは非常に時間を浪費し、面倒なものである。
【０００４】
この問題を解決する幾つかの既知の方法が提案されてきた。例えば、オーディオ又はビデオデータのパケット識別子（ＰＩＤ）をマッチングすることにより、装置が容易に同一のＰＩＤを持つコンテンツを識別することができ、それ故同一のコンテンツを自動的に再生することができる。該方法は、データストリームにＰＩＤ情報があるときにのみ利用されることができる。このことは、非常に限定的である。
【０００５】
しかしながら、多くの放送システムは、ＰＩＤ情報を持たない。例えば、ＤＶＢ−Ｈ（Digital Video Broadcasting-Handheld）は、欧州においてモバイル用ＴＶ放送のための規格として欧州委員会により推進されてきており、国家広播電影電視総局（State Administration of Radio, Film, and Television、ＳＡＲＦＴ）は、中国のモバイル用テレビジョン及びマルチメディア規格として、ＣＭＭＢ（China Multimedia Mobile Broadcasting）のサポートをアナウンスしている。モバイル用ＴＶは、３Ｇ又はＡＤＳＬ（例えばＩＰＴＶ）のようなモバイルネットワークのビデオストリーミングによって実現されることもできる。これら技術に基づいて、ユーザは、ケーブル（ＤＶＢ−Ｃ）又はアンテナ（ＤＶＢ−Ｔ／Ｓ）を介して家庭で通常視聴しているＴＶ番組と同様に、ライブのモバイル用ＴＶ番組を視聴することが可能となる。
【発明の概要】
【発明が解決しようとする課題】
【０００６】
上述したＰＩＤ方法は、例えば３Ｇのような、ＰＩＤ情報を持たない異なる放送システムを用いた２つの装置に対して利用されることができず、それ故、以上に説明した問題を解決するために新しい方法が必要とされる。
【０００７】
以降、「オーディオ／ビデオ」なる語は、「オーディオ及び／又はビデオ」と同等のものとして解釈される。
【０００８】
本発明の目的は、２つの装置間で通信する方法を提供することにある。
【課題を解決するための手段】
【０００９】
この目的のため、本方法は、
第１の装置において再生されている第１の放送オーディオ／ビデオコンテンツの指紋を、前記第１の放送オーディオ／ビデオコンテンツを再生するように第２の装置に要求する第１の信号を受信したときに、生成するステップと、
前記第１の信号を受信したときに、前記第２の装置により受信された一連の放送オーディオ／ビデオコンテンツの一連の指紋を生成するステップと、
前記第１の放送オーディオ／ビデオコンテンツ及び前記一連の指紋に応じて、前記一連の放送オーディオ／ビデオコンテンツから前記第１の放送オーディオ／ビデオコンテンツを識別するステップと、
を有する。
【００１０】
種々の実施例に基づいて、第２の装置と通信するための第１の装置により実行される方法であって、該第２の装置は、前記第１の装置において再生されているものと同一のコンテンツを再生するように意図されたものである方法が提供される。
【００１１】
この目的のため、前記第１の装置により実行される方法は、
第１の放送オーディオ／ビデオコンテンツを再生するステップと、
前記第１の放送オーディオ／ビデオコンテンツを再生するように前記第２の装置に要求する第１の信号を受信したときに、前記第１の放送オーディオ／ビデオコンテンツを反映する第２の信号を前記第２の装置に送信するステップと、
を有する。
【００１２】
代替としては、前記第１の装置により実行される方法は、
第１の放送オーディオ／ビデオコンテンツを再生するステップと、
前記第１の放送オーディオ／ビデオコンテンツを再生するように前記第２の装置に要求する第１の信号を受信したときに、前記第１の放送オーディオ／ビデオコンテンツの指紋を生成するステップと、
前記第２の装置から送信された一連の放送オーディオ／ビデオコンテンツを反映する第３の信号を受信するステップと、
前記第１の放送オーディオ／ビデオコンテンツの指紋及び前記一連の放送オーディオ／ビデオコンテンツの一連の指紋に応じて、前記第３の信号から前記第１の放送オーディオ／ビデオコンテンツを識別するステップと、
を有する。
【００１３】
第２の装置と通信するための第１の装置により実行される方法であって、該第１の装置は、前記第２の装置において再生されているものと同一のコンテンツを再生するように意図されたものである方法もが提供される。該方法は、
前記第２の装置において再生されている第１の放送オーディオ／ビデオコンテンツを再生するように前記第１の装置に要求する第１の信号を受信したときに、一連の放送オーディオ／ビデオコンテンツを受信するステップと、
前記一連の放送オーディオ／ビデオコンテンツの一連の指紋を生成するステップと、
前記第２の装置から送信された、前記第１の放送オーディオ／ビデオコンテンツを反映する第２の信号を受信するステップと、
前記第１の放送オーディオ／ビデオコンテンツの指紋及び前記一連の指紋に応じて、前記一連の放送オーディオ／ビデオコンテンツから前記第１の放送オーディオ／ビデオコンテンツを識別するステップと、
を有する。
【００１４】
代替として、前記第２の装置と通信するための前記第１の装置により実行される方法であって、該第１の装置は、前記第２の装置において再生されているものと同一のコンテンツを再生するように意図されたものである更なる方法が提供される。該方法は、
前記第２の装置において再生されている第１の放送オーディオ／ビデオコンテンツを再生するように前記第１の装置に要求する第１の信号を受信したときに、一連の放送オーディオ／ビデオコンテンツを受信するステップと、
前記一連の放送オーディオ／ビデオコンテンツを反映する第３の信号を前記第２の装置に送信するステップと、
を有する。
【００１５】
本発明の目的はまた、以上の方法を実装するための装置を提供することにある。
【００１６】
この目的のため、第２の装置と通信するための第１の装置であって、該第２の装置は、前記第１の装置において再生されているものと同一のコンテンツを再生するように意図されたものである装置が提供される。該第１の装置は、
第１の放送オーディオ／ビデオコンテンツを再生するためのユニットと、
前記第１の放送オーディオ／ビデオコンテンツを再生するように前記第２の装置に要求する第１の信号を受信したときに、前記第１の放送オーディオ／ビデオコンテンツを反映する第２の信号を前記第２の装置に送信するためのユニットと、
を有する。
【００１７】
代替として、該第１の装置は、
第１の放送オーディオ／ビデオコンテンツを再生するためのユニットと、
前記第１の放送オーディオ／ビデオコンテンツを再生するように前記第２の装置に要求する第１の信号を受信したときに、前記第１の放送オーディオ／ビデオコンテンツの指紋を生成するためのユニットと、
前記第２の装置から送信された一連の放送オーディオ／ビデオコンテンツを反映する第３の信号を受信するためのユニットと、
前記第１の放送オーディオ／ビデオコンテンツの指紋及び前記一連の放送オーディオ／ビデオコンテンツの一連の指紋に応じて、前記第３の信号から前記第１の放送オーディオ／ビデオコンテンツを識別するためのユニットと、
を有する。
【００１８】
第２の装置と通信するための第１の装置であって、該第１の装置は、前記第２の装置において再生されているものと同一のコンテンツを再生するように意図されたものである装置もが提供され、該第１の装置は、
前記第２の装置において再生されている第１の放送オーディオ／ビデオコンテンツを再生するように前記第１の装置に要求する第１の信号を受信したときに、一連の放送オーディオ／ビデオコンテンツを受信するためのユニットと、
前記一連の放送オーディオ／ビデオコンテンツを反映する第３の信号を前記第２の装置に送信するためのユニットと、
を有する。
【００１９】
代替として、第２の装置と通信するための第１の装置であって、該第１の装置は、前記第２の装置において再生されているものと同一のコンテンツを再生するように意図されたものである装置が提供され、該第１の装置は、
前記第２の装置において再生されている第１の放送オーディオ／ビデオコンテンツを再生するように前記第１の装置に要求する第１の信号を受信したときに、一連の放送オーディオ／ビデオコンテンツを受信するためのユニットと、
前記一連の放送オーディオ／ビデオコンテンツの一連の指紋を生成するためのユニットと、
前記第２の装置から送信された、前記第１の放送オーディオ／ビデオコンテンツを反映する第２の信号を受信するためのユニットと、
前記第１の放送オーディオ／ビデオコンテンツの指紋及び前記一連の指紋に応じて、前記一連の放送オーディオ／ビデオコンテンツから前記第１の放送オーディオ／ビデオコンテンツを識別するためのユニットと、
を有する。
【００２０】
これらの方法は、他の装置において再生されているものと同一の放送オーディオ／ビデオコンテンツを再生するように装置が要求されるいずれの状況においても、これら２つの装置により受信されるオーディオ／ビデオコンテンツのデータフォーマットが同じであっても異なっていても、適用され得るという利点を持つ。
【００２１】
本発明のこれらの及び他の目的及び特徴は、添付図面を参照しながら、以下の詳細な説明により明らかとなるであろう。
【００２２】
全ての図面において、破線は任意の特徴を表す。
【図面の簡単な説明】
【００２３】
【図１】２つの装置間で通信が可能なシステムの概観を示す図である。
【図２】本発明による装置２００と通信するための装置１００を示すブロック図である。
【図３】本発明による装置１００と通信するための装置２００を示すブロック図である。
【図４】本発明による方法を示すフロー図である。
【図５】本発明の第１の実施例による装置２００と通信するための装置１００により実行される方法を示すフロー図である。
【図６】本発明の第１の実施例による装置１００と通信するための装置２００により実行される方法を示すフロー図である。
【図７】本発明の第２の実施例による装置２００と通信するための装置１００により実行される方法を示すフロー図である。
【図８】本発明の第２の実施例による装置１００と通信するための装置２００により実行される方法を示すフロー図である。
【図９】第１の放送オーディオ／ビデオコンテンツの継続時間と、該コンテンツの指紋を生成するための一連の放送オーディオ／ビデオコンテンツの継続時間とを示す図である。
【発明を実施するための形態】
【００２４】
図１は、本発明の実施例による、第１の装置１００と第２の装置２００との間で通信するためのシステムの概観を示す。
【００２５】
該システムは、装置１００及び装置２００を有する。装置１００は、放送ネットワークＭからオーディオ／ビデオコンテンツを受信することができる。装置２００は、放送ネットワークＮからオーディオ／ビデオコンテンツを受信することができる。装置１００及び２００は共に、受信したオーディオ／ビデオコンテンツを再生することが可能であり、いずれかの有線又は無線通信技術を介して互いと通信することができる。有線通信技術は、例えばローカルエリアネットワーク（ＬＡＮ）やＲＳ２３２等であっても良い。無線通信技術は、例えば無線ローカルエリアネットワーク（ＷＬＡＮ）、Bluetooth（登録商標）、赤外線等であっても良い。
【００２６】
放送ネットワークＭ及びＮは、ＴＶ、ラジオ、インターネット放送ネットワーク等であっても良い。放送されるデータは、オーディオデータ、ビデオデータ、又は異なるフォーマットを持ついずれかのマルチメディアデータであっても良い。装置１００及び２００は、オーディオ／ビデオコンテンツを受信及び再生することが可能ないずれのタイプのものであっても良く、例えばＴＶ機能を持つ携帯電話、固定型ＴＶセット、携帯型ＴＶセット、ＰＤＡ、ラジオ、コンピュータ等であっても良い。
【００２７】
ユーザが装置１００上で放送オーディオ／ビデオコンテンツを視聴するとき、該ユーザは、当該装置に、装置１００において再生されているものと同一のコンテンツを再生するよう要求する。本発明は、ユーザの要求を実装するように装置１００及び２００により実行される方法を提供する。本方法においては、装置２００により受信される全てのオーディオ／ビデオコンテンツは、装置１００において再生されているオーディオ／ビデオコンテンツと比較され、装置２００により受信される全てのオーディオ／ビデオコンテンツから、該装置１００において再生されているオーディオ／ビデオコンテンツを識別する。
【００２８】
図４は、本発明の実装するステップを示すフロー図である。
【００２９】
本方法は、装置１００において再生されている第１の放送オーディオ／ビデオコンテンツの指紋を、前記第１の放送オーディオ／ビデオコンテンツを再生するように第２の装置２００に要求する第１の信号Ｓ１を受信したときに、生成するステップ４０１を有する。
【００３０】
本発明はまた、前記第１の信号Ｓ１を受信したときに、前記第２の装置２００により受信された一連の放送オーディオ／ビデオコンテンツの一連の指紋を生成するステップ４０２を有する。
【００３１】
指紋は、オブジェクト（オーディオ／ビデオコンテンツ）の一意でコンパクトなダイジェストであり、ロバストハッシュ（robust hash）とも呼ばれ、オーディオ／ビデオコンテンツの知覚的に重要な態様から導出される。オーディオ又はビデオの指紋は、オーディオ又はビデオコンテンツの短い要約と考えられ得る。それ故、オーディオ又はビデオの指紋は、多くのビットから成るオーディオ又はビデオデータを、限られた数のビットから成る指紋にマッピングするべきである。換言すれば、オーディオ／ビデオデータの指紋は、オーディオ／ビデオコンテンツを反映し得る。オーディオの指紋はオーディオコンテンツを反映し、ビデオの指紋はビデオコンテンツを反映し得る。同一のコンテンツを持つが異なるデータフォーマットを利用する２つのオーディオ／ビデオコンテンツがある場合、一方のデータの指紋は、他方のデータの指紋と合致し得る。指紋技術は本分野において既知であり、以下の説明においては詳細には説明されない。
【００３２】
ステップ４０１及び４０２は、前記第１の放送オーディオ／ビデオコンテンツの指紋及び前記一連の指紋に応じて、前記一連の放送オーディオ／ビデオコンテンツから前記第１の放送オーディオ／ビデオコンテンツを識別するステップ４０３により後続される。
【００３３】
任意に、装置２００により受信された一連のオーディオ／ビデオコンテンツから第１の放送オーディオ／ビデオコンテンツ１００が識別されたときに、装置２００において前記第１のオーディオ／ビデオコンテンツを再生するステップ４０４が更に実行されても良い。
【００３４】
多くのチャネルが同一のオーディオ／ビデオコンテンツを放送し得るため（例えば有名なフットボールの試合）、装置２００は時には、第１の放送オーディオ／ビデオコンテンツを再生するために、いずれか１つのチャネルを選択しても良いし、又は、最も早く識別された第１の放送オーディオ／ビデオコンテンツを再生しても良い。
【００３５】
装置１００が第１の信号Ｓ１を受信すると、装置１００において再生されている第１の放送オーディオ／ビデオコンテンツは、ユーザの視聴を混乱させないため装置１００において連続して再生されても良い。代替として、装置１００は再生を継続しなくても良い。装置１００は、固定されたフレームを表示しても良いし、又はユーザの要求が処理されていることをユーザに示すリマインダを表示しても良い。
【００３６】
上述したステップ４０１、４０２及び４０３は、装置１００か又は装置２００によって実行されても良い。以下は、２つの装置によって別個に実行されるステップを示す幾つかの実施例である。
【００３７】
実施例１：装置１００において再生されている第１の放送オーディオ／ビデオコンテンツと同一のオーディオ／ビデオコンテンツを再生するように意図された装置２００により、識別ステップ４０３が実行される。
【００３８】
第１部：第１の実施例による第２の装置２００と通信するための第１の装置１００により実行される方法が提供され、ここで該第２の装置２００は、第１の装置１００において再生されているものと同一のオーディオ／ビデオコンテンツを再生するように意図されたものである。
【００３９】
図５は、第１の装置１００により実行されるステップのフロー図を示す。図５に示されるように、本方法は、該第１の装置１００において再生されている第１の放送オーディオ／ビデオコンテンツを再生するステップ５０５を有する。受信ステップ５０５は、該第１の放送オーディオ／ビデオコンテンツを再生するように第２の装置２００に要求する第１の信号を受信したときに、第２の装置２００に対して、第１の装置１００により第１の放送オーディオ／ビデオコンテンツを反映する第２の信号を送信するステップ５０６により後続される。
【００４０】
任意に、前記第１の放送オーディオ／ビデオコンテンツを反映する第２の信号は、例えば該オーディオ／ビデオコンテンツ自体であっても良いし、又は、該第２の信号は、前記第１の放送オーディオ／ビデオコンテンツの指紋であっても良い。
【００４１】
該第２の信号が前記第１の放送オーディオ／ビデオコンテンツの指紋である場合には、第１の装置１００により実行される本方法は、前記第１の放送オーディオ／ビデオコンテンツの指紋を生成するステップ４０１を更に有する。
【００４２】
任意に、第１の装置１００により実行される本方法は更に、第１の信号Ｓ１を生成するステップ５０８を有しても良い。
【００４３】
第１の信号Ｓ１は、ユーザ入力を受信したときに生成されても良く、このとき本方法は更に、ユーザ入力を受信するステップ５１０を有する。
【００４４】
第１の信号Ｓ１はまた、第２の装置２００の存在を第１の装置１００が検出したときに生成されても良く、このとき本方法は更に、第２の装置２００の存在を検出するステップ５０９を有する。第１の信号Ｓ１は、装置１００が第２の装置２００の存在を検出したときに自動的に生成されても良いし、又は、第２の装置２００の存在を検出した後に、ユーザの確認を受信したときに、装置１００が第１の信号Ｓ１を生成しても良い。
【００４５】
第２部：第１の実施例による第１の装置２００と通信するための第２の装置１００により実行される方法が提供され、ここで該第１の装置２００は、第２の装置１００において再生されているものと同一のオーディオ／ビデオコンテンツを再生するように意図されたものである。
【００４６】
図６に示されるように、第１の装置２００により実行される方法は、第２の装置１００において再生されている第１の放送オーディオ／ビデオコンテンツを再生するように第１の装置２００に要求する第１の信号Ｓ１を受信したときに、一連の放送オーディオ／ビデオコンテンツを受信するステップ６０５を有する。該受信ステップ６０５は、第１の装置２００によって、前記一連の放送オーディオ／ビデオコンテンツの一連の指紋を生成するステップ４０２により後続される。
【００４７】
第１の装置２００により実行される本方法はまた、前記第１の放送オーディオ／ビデオコンテンツを反映する第２の信号を受信するステップ６０６を有する。
【００４８】
該第２の信号が第１の放送オーディオ／ビデオコンテンツの指紋である場合、受信ステップ６０６及び指紋生成ステップ４０２は、上述した識別ステップ４０３により後続される。
【００４９】
受信ステップ６０６において受信された第２の信号がオーディオ／ビデオコンテンツ自体である場合には、第１の実施例による本方法は更に、第１の装置２００によって、前記第１の放送オーディオ／ビデオコンテンツの指紋を生成するステップ４０１を有する。指紋生成ステップ４０１及び４０２は、識別ステップ４０３により後続される。
【００５０】
第１の装置１００により実行される第１部と同様に、第１の装置２００により実行される本方法は更に、第１の信号Ｓ１を生成するステップ６０８を有しても良い。
【００５１】
第１の信号Ｓ１は、ユーザ入力を受信したときに生成されても良く、このとき第２部において提供される本方法は更に、ユーザ入力を受信するステップ６１０を有する。
【００５２】
本方法は更に、第１の装置２００により、第２の装置１００の存在を検出するステップ６０９を有しても良い。
【００５３】
実施例２：放送オーディオ／ビデオコンテンツが再生されている装置１００により、識別ステップ４０３が実行される。
【００５４】
第３部：第２の実施例による第２の装置２００と通信するための第１の装置１００により実行される方法が提供され、ここで該第２の装置２００は、第１の装置１００において再生されているものと同一のオーディオ／ビデオコンテンツを再生するように意図されたものである。
【００５５】
図７に示されるように、第２の装置２００と通信するための第２の実施例による第１の装置１００により実行される方法が提供され、ここで該第２の装置２００は、第１の装置１００において再生されているオーディオ／ビデオコンテンツを再生するように意図されたものである。本方法は、第１の装置１００において第１の放送オーディオ／ビデオコンテンツを再生するステップ７０５を有する。
【００５６】
ステップ７０５は、第１の信号を受信したときに、前記第１の放送オーディオ／ビデオコンテンツの指紋を生成するように、第１の装置１００による上述した生成ステップ４０１により後続される。
【００５７】
該第２の実施例による本方法はまた、第１の装置１００により、第２の装置２００から送信された一連の放送オーディオ／ビデオコンテンツを反映する第３の信号を受信するステップ７０６を有する。
【００５８】
該第３の信号が、前記一連の放送オーディオ／ビデオコンテンツの一連の指紋である場合、受信ステップ７０６及び指紋生成ステップ４０１は、第１の装置１００により、前記第１の放送オーディオ／ビデオコンテンツを識別するための上述した識別ステップ４０３により後続される。
【００５９】
受信ステップ７０６において受信される第３の信号が前記一連の放送オーディオ／ビデオコンテンツである場合、前記一連の放送オーディオ／ビデオコンテンツの一連の指紋を生成するための生成ステップ４０２が、ステップ７０６に後続する。指紋生成ステップ４０１及び４０２は、識別ステップ４０３により後続される。
【００６０】
任意に、第１の装置１００が第１の放送オーディオ／ビデオコンテンツを識別した後、本方法は更に、該識別された放送オーディオ／ビデオコンテンツを第２の装置２００に通知し、第２の装置２００が、該識別された放送オーディオ／ビデオコンテンツが受信された対応するチャネルをマッチングすることができるようにするステップ７０７を有しても良い。
【００６１】
第１の実施例と同様に、第１の装置１００により実行される本方法は更に、ステップ５０８と同じ機能を持つステップ７０８を有しても良い。
【００６２】
第１の実施例のステップ５１０と同様に、第１の信号Ｓ１は、ユーザ入力を受信したときに生成されても良く、このとき本方法は更に、ユーザ入力を受信するステップ７１０を有する。
【００６３】
第１の信号Ｓ１はまた、第２の装置２００の存在を第１の装置１００が検出したときに生成されても良く、このとき本方法は更に、ステップ５０９と同じ機能を持つステップ７０９を有する。
【００６４】
第４部：第１の実施例による第２の装置１００と通信するための第１の装置２００により実行される方法が提供され、ここで該第１の装置２００は、第２の装置１００において再生されているものと同一のオーディオ／ビデオコンテンツを再生するように意図されたものである。
【００６５】
図８に示されるように、第２の実施例によれば、第２の装置１００と通信するための第１の装置２００により実行される方法が提供される。該方法は、第２の装置１００において再生されている第１の放送オーディオ／ビデオコンテンツを再生するように第１の装置２００に要求する第１の信号Ｓ１を受信したときに、一連の放送オーディオ／ビデオコンテンツを受信するステップ８０５を有する。
【００６６】
ステップ８０５は、第２の装置１００に対して、前記一連の放送オーディオ／ビデオコンテンツを反映する第３の信号を送信するステップ８０６により後続される。
【００６７】
任意に、第１の装置２００により送信された第３の信号が前記一連の放送オーディオ／ビデオコンテンツである場合、ステップ８０５は、一連の指紋を生成するための生成ステップ４０２により後続される。このとき、送信ステップ８０６は生成ステップ４０２に後続する。
【００６８】
第１の実施例と同様に、第１の装置２００により実行される本方法は更に、ステップ６０８と同じ機能を持つステップ８０８を有する。
【００６９】
第１の信号Ｓ１は、ユーザ入力を受信したときに生成されても良く、このとき本方法は更に、ステップ６１０と同様の、ユーザ入力を受信するステップ８１０を有する。
【００７０】
第１の信号Ｓ１はまた、第２の装置１００の存在を第１の装置２００が検出したときに生成されても良い。本方法は更に、ステップ６０９と同じ機能を持つステップ８０９を有する。
【００７１】
異なる実施例における装置１００及び２００の機能モジュールは、以下に詳細に説明される。
【００７２】
図２は、前記第１の放送オーディオ／ビデオコンテンツが再生される、装置１００の機能モジュールを示す。本発明の原理を簡単に説明するため、装置１００はここでは、ＴＶ番組を受信し再生することが可能な携帯電話の一例であり、装置２００は、固定ＴＶセットの一例である。
【００７３】
装置１００（携帯電話）は、電話機能モジュール１１０（該携帯電話の主機能）を有する。装置１００は更に、放送ネットワークＭから第１の放送オーディオ／ビデオコンテンツ（例えばＴＶ番組Ｐ１）を受信するための、上述した受信ステップ５０５及びステップ７０５を実行するためのユニット１０１を有する。装置１００はまた、該受信されたオーディオ／ビデオコンテンツ（ＴＶ番組Ｐ１）を再生するためのユニット１０２を有する。
【００７４】
装置１００はまた、ユーザとインタラクトするためのユーザインタフェース１０３を有する。ユーザインタフェース１０３は、キーボード若しくはタッチパッド又はユーザ入力に適した何らかのものを有する。ユーザインタフェース１０３はまた、スピーカ及び画面を有する。受信されたＴＶコンテンツＰ１は、該スピーカ及び画面を介してユーザに提示される。
【００７５】
装置１００はまた、データを送信するためのユニット１１７、及びデータを受信するためのユニット１２７を有する。
【００７６】
ユニット１１７は、上述した送信ステップ５０６を実行するように、即ち第１の信号Ｓ１を受信したときにＴＶコンテンツＰ１の内容を反映する第２の信号Ｓ２を前記装置２００に送信するように、コントローラ１０４によって制御される。第２の信号Ｓ２は、ＴＶコンテンツＰ１の内容を第２の装置２００に通知するために利用される。ユニット１１７はまた、上述した通知ステップ７０７を実装するために利用されても良い。
【００７７】
ユニット１２７は、上述した受信ステップ７０６を実行するように、即ち第３の信号を受信するように、コントローラ１０４によって制御される。
【００７８】
ユニット１１７及び１２７は、データを受信及び送信するための１つのＩ／Ｏインタフェース１０７として一体化されていても良い。
【００７９】
前記方法の説明において示されたように、第２の装置２００から第１の信号Ｓ１を受信する代わりに、装置１００によって第１の信号Ｓ１が生成されても良い。それ故、装置１００は任意に、第１の信号Ｓ１を生成する上述した生成ステップ５０８又は７０８を実行するためのユニット１０５を更に有する。
【００８０】
ユーザインタフェース１０３はまた、ユーザ入力を受信するための上述した受信ステップ５１０又はステップ７１０を実行するために利用され、斯かる入力は例えば、ボタン若しくはキーボード、タッチパッド、又は、該装置が音声認識機能を持つ場合には、マイクロフォンを介した入力であっても良い。
【００８１】
代替として、装置１００は更に、上述した検出ステップ５０９又は７０９を実行するための検出器１０８を有しても良い。検出器１０８は、ＮＦＣ（near field communication）技術又はＲＦＩＤ技術を利用しても良く、いずれも本分野において良く知られた技術であるから、詳細には説明されない。
【００８２】
代替として、装置１００は更に、装置２００に対して送信された第２の信号Ｓ２が指紋である場合に、上述した生成ステップ４０１を実行するためのユニット１０６を有する。
【００８３】
識別ステップ４０３が本発明の第２の実施例による装置１００により実行される場合、装置１００は更に、上述した識別ステップ４０３を実行するためのユニット１０９を有する。
【００８４】
第２の実施例によれば、ユニット１０６はまた、装置１００により受信された第３の信号が前記一連の放送オーディオ／ビデオコンテンツである場合に、生成ステップ４０２を実行するために利用される。
【００８５】
図３は、装置２００（例えば固定型ＴＶ）の機能モジュールを示す。
【００８６】
装置２００は、ユーザとインタラクトするためのユーザインタフェース２０３を有する。該ユーザインタフェースは、リモートコントローラ又はユーザ入力に適した何らかのものを有する。装置２００はまた、スピーカ及び画面を有する。受信されたオーディオ／ビデオコントローラは、該スピーカ及び画面を介してユーザに提示される。
【００８７】
装置２００は、放送ネットワークＮからＴＶ番組を受信するためのユニット２０１、及び該受信されたＴＶ番組を再生するためのユニット２０２を有する。ユニット２０１は、信号Ｓ１を受信したときに、放送ネットワークＮから一連のＴＶ番組Ｔ１、Ｔ２、…Ｔｎを受信する上述した受信ステップ６０５及び８０５を実装するように、コントローラ２０４により制御される。本発明においては、「ＴＶ番組Ｔ１」は、ＴＶチャネルＴ１から受信されたコンテンツを意味する。
【００８８】
装置２００は、データを送信するためのユニット２１７、及びデータを受信するためのユニット２２７を含む。
【００８９】
ユニット２１７は、上述した送信ステップ８０６を実行するように、即ち第１の信号Ｓ１を受信したときに一連の番組Ｔ１の内容を反映する第３の信号Ｓ３を前記装置１００に送信するように、コントローラ２０４によって制御される。第３の信号Ｓ３は、ＴＶ番組Ｔ１、…Ｔｎの内容を装置１００に通知するために利用される。
【００９０】
ユニット２２７は、第２の信号を受信する上述したステップ６０６を実行するように、コントローラ２０４により制御される。
【００９１】
ユニット２１７及び２２７は、データを受信及び送信するための１つのＩ／Ｏインタフェース２０７として一体化されていても良い。
【００９２】
装置２００は更に、上述した指紋生成ステップ４０２を実行するためのユニット２０６を有しても良い。
【００９３】
第１の実施例によれば、ユニット２０６は、上述した第２の信号Ｓ２が放送オーディオ／ビデオコンテンツ自体である場合に、上述した指紋生成ステップ４０１を実行するためにも利用される。換言すれば、指紋生成ステップ４０１及び４０２の両方が、装置２００により実行される。
【００９４】
装置２００はまた、上述した識別ステップ４０３を実行するためのユニット２０９を有しても良い。識別ステップ４０３は、ＴＶ番組Ｔ１の指紋を、一連のＴＶ番組Ｔ１、Ｔ２、…Ｔｎの一連の指紋と比較することにより、ＴＶ番組を識別する。
【００９５】
例えば、ＴＶ番組Ｔ３がＴＶ番組Ｔ１と同じ内容を持つものとして識別された場合、番組Ｔ３を受信するためのＴＶチャネルＴ３が識別され、このときユニット２０１は該番組を受信するようにコントローラ２０４により制御され、ユニット２０２はＴＶ番組Ｔ３を再生する上述したステップ２０４を実行するように制御され得る。
【００９６】
装置１００と同様に、装置２００は更に、信号Ｓ１を生成する上述した生成ステップ６０８及び８０８を実行するためのユニット２０５、及び上述した検出ステップ６０９及び８０９を実行するための検出器２０８を有しても良い。
【００９７】
プロセッサ１０４及び２０４は単に本機能を説明するために利用されたものであり、これらプロセッサは異なる機能ユニットに関連する幾つかの別個のプロセッサにより実装され得ることは、当業者には明らかであろう。例えば、各指紋生成ユニット１０６及び２０６は、指紋生成ステップを別個に制御するためのプロセッサを持ち、各識別ユニット１０９及び２０９は、識別ステップを別個に制御するためのプロセッサを持つ。
【００９８】
装置１００が識別ユニット１０９を有する場合、コスト削減の目的のため、装置２００には識別ユニット２０９を有する必要はないことは、当業者には明らかであろう。同様の考え方は、他のユニットにも当てはまる。例えば、装置１００が指紋生成器１０６を持つ場合、装置２００が指紋生成器２０６を有する必要はなく、装置１００に信号Ｓ１を生成するためのユニット１０５がある場合には、装置２００がユニット２０５を有する必要はなく、その逆も成り立つ。どのユニットがどの装置に含まれるべきであるかを決定するためには、処理の効率及びコストが、考慮されるべき側面である。
【００９９】
図３は、装置２００の単なる一例である。装置２００は、図３に示される全てのユニットを必ずしも含まない。例えば、どのユニットが装置１００に既に含まれているかによって、ユニット２０６、２０９、２０５、２０８を除外しても良い（図示されていない）。
【０１００】
図９は、前記第１の放送オーディオ／ビデオコンテンツの指紋を生成するためのユニット１０１によりＴＶ番組Ｐ１のオーディオ／ビデオコンテンツを受信する継続時間９００、一連の指紋を生成するためのユニット２０１によりＴＶ番組Ｔ１、Ｔ２、…Ｔ６の一連のオーディオ／ビデオコンテンツを受信する継続時間９１６、及び各ＴＶ番組Ｔ１、Ｔ２、…Ｔ６のそれぞれのオーディオ／ビデオコンテンツの一連の継続時間９０１、９０２、９０３、９０４、９０５及び９０６を示す。
【０１０１】
ユニット１０１及び１０２により受信されるオーディオ／ビデオコンテンツは放送データであるから、斯かるデータの内容は時間と共に異なり、識別ステップ４０３を適切に実装するためには、継続時間９００は継続時間９１６よりも短くてはならない。
【０１０２】
継続時間９００及び９１６の開始及び終了時刻に対して、２つの状況がある。ユニット１０１により受信されたオーディオ／ビデオコンテンツ及びユニット２０１により受信された一連のオーディオ／ビデオコンテンツが、同一の放送ネットワークに起因するものである場合、換言すれば、放送ネットワークＭとＮとが同一である場合、又は、これらネットワークが、いずれの時間遅延なく、同一のオーディオ／ビデオコンテンツを放送する場合、継続時間９００の開始時刻Ａは、継続時間９１６の開始時刻Ｃよりも遅いべきではなく、継続時間９００の終了時刻Ｂは、継続時間９１６の終了時刻Ｄよりも早いべきではない。換言すれば、継続時間９１６の時間的範囲は、継続時間９００の時間的範囲内にある。
【０１０３】
放送ネットワークＭ及びＮは時々、時間差を持つ同一のオーディオ／ビデオコンテンツを放送する。例えば、ＤＶＢ−Ｈ（モバイル装置用のDigital Video Broadcasting-Handheld）規格に基づく放送システムは、ＤＶＢ−Ｔ（固定型ＴＶセット用のDigital Video Broadcasting-Terrestrial）と比べて遅延を伴って、同一のオーディオ／ビデオコンテンツを放送する。この状況においては、継続時間９００及び９１６の開始及び終了時刻は、放送遅延時間を考慮に入れる必要がある。
【０１０４】
例えば、ネットワークＭがネットワークＮの後にＫ秒遅延する場合、継続時間９００の終了時刻ＢはＫ秒遅延する必要があり、換言すれば、継続時間９００の終了時刻Ｂは、継続時間９１６の終了時刻にＫ秒を加算したものよりも早いべきではない。同様に、ネットワークＮがネットワークＭの後にＫ秒遅延する場合、継続時間９００の終了時刻ＢにＫ秒を加算したものは、継続時間９１６の終了時刻よりも早いべきではない。
【０１０５】
ハードウェア若しくはソフトウェア又はその両方により機能を実装する、種々の方法がある。この点において、図面は単に説明するものであって、それぞれの図面は単に、本発明のとり得る一実施例を表している。図面は異なる機能を異なるブロックとして示しているが、このことは、ハードウェア又はソフトウェアの単一のアイテムが幾つかの機能を実行することを決して除外するものではない。また、ハードウェア若しくはソフトウェア又はその両方のアイテムのアセンブリが或る機能を実行することを除外するものでもない。
【０１０６】
以上に為された注記は、図面を参照しながら為された詳細な説明が本発明を説明するものであって限定するものではないことを示したものである。添付される請求項の範囲内となる幾つかの代替例がある。請求項におけるいずれの参照記号も、請求の範囲を限定するものとして解釈されるべきではない。動詞「有する（comprise）」及びその語形変化の使用は、請求項に記載されたもの以外の要素又はステップの存在を除外するものではない。要素に先行する不定冠詞「１つの（a又はan）」は、複数の斯かる要素の存在を除外するものではない。
【図１】
2012503917.tif 000003
【図２】
2012503917.tif 000004
【図３】
2012503917.tif 000005
【図４】
2012503917.tif 000006
【図５】
2012503917.tif 000007
【図６】
2012503917.tif 000008
【図７】
2012503917.tif 000009
【図８】
2012503917.tif 000010
【図９】
2012503917.tif 000011
【国際調査報告】
2012503917.tif 000012
2012503917.tif 000013